(57)【要約】      （修正有）【課題】幼児座席に対し幼児を乗り降りさせる時の保護者の負担を軽減、そして幼児を安心させて乗り降りさせること、足置きステップに置かれた幼児の足を雨水などから保護することができる自転車用幼児座席のカバーを提供する。【解決手段】カバーＡの背面ａ１と上面ａ２の一部を形成する背面・上面カバー部１、前面下半部ａ３側と両側面下半部ａ４側を形成する下半面側カバー部２、前面上半部ａ５側と両側面上半部ａ６側を形成する上半面側カバー部３、カバーＡの側面を、少なくとも裾部から上面頂部に至る縦方向に開閉するファスナ４を備えている。背面・上面カバー部１は、幼児座席Ｂの座席幅に相当する幅を有する縦長形状で、その上半部側が幼児座席Ｂの上方において、当該上方を覆うように前側に向けて延設された側面視形状を成し、かつ、少なくとも両辺縁部と、この両辺縁部の連設上辺縁部に沿わせて弾力性を有するカバー保形部材５を備えている。【選択図】図５
0003196748.tif 000002
【実用新案登録請求の範囲】
【請求項１】
自転車に取り付けられる幼児座席を覆うカバーであって、
背面と少なくとも上面の一部を形成する背面・上面カバー部と、
前面下半部側と両側面下半部側を形成する下半面側カバー部と、
前面上半部側と両側面上半部側を形成する上半面側カバー部と、
当該カバーの側面を、少なくとも裾部から上面頂部に至る縦方向に開閉するファスナと、を備え、
前記背面・上面カバー部は、前記幼児座席の座席幅に相当する幅を有する縦長形状で、その縦方向の上部側が前記幼児座席の上方において、当該上方を覆うように前側に向けて延設させた側面視形状を成し、かつ、少なくとも縦方向の両辺縁部と、この両辺縁部の連設上辺縁部に沿わせて弾力性を有するカバー保形部材を備えていることを特徴とする自転車用幼児座席のカバー。
【請求項２】
前記ファスナは、前記背面・上面カバー部と、前記下半面側カバー部および上半面側カバー部との境目縁部に沿って、当該カバーの一側面または両側面における裾部から縦方向に開閉するように設けられていることを特徴とする請求項１に記載の自転車用幼児座席のカバー。
【請求項３】
前記下半面側カバー部は、前記幼児座席の足置きステップを、外側から内側に略全体を巻き込むように下面を含めた周囲を覆う袋状のステップ被覆部を備えていることを特徴とする請求項１または２に記載の自転車用幼児座席のカバー。
【請求項４】
前記背面・上面カバー部および下半面側カバー部は、自転車または前記幼児座席への着脱可能な取付け手段をそれぞれ備えていることを特徴とする請求項１〜３のいずれかに記載の自転車用幼児座席のカバー。
【考案の詳細な説明】
【技術分野】
【０００１】
本考案は、自転車に取り付けられて幼児を同乗させる幼児座席を幌形態に覆うことで、主に、降雨時に使用されるカバーに関する。
【背景技術】
【０００２】
自転車に取り付けられて幼児の同乗に使用される幼児座席（チャイルドシート）を覆うカバーとして、例えば、下記特許文献１および特許文献２などにおいて知られている。
【０００３】
特許文献１に記載のカバーは、チャイルドシートの背凭れ部を覆う背凭れ後ろカバー部と、その両側の側面カバー部と、背凭れ後ろカバー部と向かい合う前掛け部が環状につながり、その上部と下部が開口し、下部の開口に紐状コード材を内部に通してなる伸縮性縁部を有し、前掛け部の上縁部に紐状コード材を内部に通してなる伸縮性縁部を有し、下部開口部の下端および背凭れ後ろカバー部の内側にチャイルドシートへの取付け手段を有し、両側面カバー部の後ろ下部の形状が、斜めに切除された形であることを特徴とするものである。
【０００４】
特許文献２に記載のカバーは、可撓性および弾力性を有するリング状の張り枠と、この張り枠の内側に張設された透明または半透明の内カバー体と、張り枠から下側に垂下された外カバー体を備え、内カバー体が、チャイルドシートの座部の上側を後上がりに傾斜して覆い、外カバー体が背凭れ部の後側、背凭れ部および座部の両側方および座部の前部下方を覆うように、張り枠が、座部の上側に後上がりに傾斜して配置可能とされていること、そして、張り枠の後部側がチャイルドシートの背凭れ部の左右両側縁部と上縁部とに沿うとともに、張り枠の前部側がチャイルドシートの座部の左右両側縁部と前縁部とに沿うように、張り枠が背凭れ部の前側であって、座部の上側に配置可能とされていること、さらに、外カバー体の後部上カバー体が張り枠の後部に対してファスナで開閉自在に連結されていること、などを特徴とするものである。
【先行技術文献】
【特許文献】
【０００５】
【特許文献１】特許第４６７３４４１号公報
【特許文献２】特開２０１４-０２４５１７号公報
【考案の概要】
【考案が解決しようとする課題】
【０００６】
しかしながら、上記特許文献１に記載の従来技術では、保護者が幼児を抱きかかえてチャイルドシートに対し乗り降りさせるための開口部が、カバーの上面部分に上向き開閉可能に設けられていることで、保護者は開口部上方の高い位置まで幼児を持ち上げなければ、幼児を乗り降りさせることができないという使用上の問題がある。つまり、幼児を乗り降りさせるとき、一般的に、保護者は幼児の両脇下に両手を入れた状態で幼児の体を抱きかかえ、この状態（姿勢）で幼児を持ち上げ下げすることで行われる。そのため、従来技術では、幼児の足などが開口部に引っ掛からないように注意しながら、保護者はチャイルドシートの座部（座面）高さよりもはるかに高い必要以上の高さまで幼児を持ち上げなければならず、保護者の大きな負担となっていた。
また、必要以上に高く持ち上げられる幼児に対しても安心して乗り降りさせることができない。特に、同乗対処年齢の年長幼児は、体が大きく、体重も重いことから、保護者の負担は多大なものとなるばかりか、開口部が斜め上向き開口であるが故に、幼児の足が開口部に引っ掛かるおそれがあるなどが問題視されていた。
【０００７】
一方、上記特許文献２に記載の従来技術では、幼児を乗り降りさせる開口部が、前斜め上向き開口で、なおかつ、同文献２の段落００２０において説明され、図１において二点鎖線で示されているように、ファスナで開閉する張り枠の後部側（後半部分）のみの前側への倒れ込みによる開口であるなどから非常に狭い。そのために、幼児を開口部からチャイルドシートに対し乗り降りさせるとき、特許文献１が有する前記した問題と同じく、保護者は幼児を必要以上の高さまで持ち上げた状態で、なおかつ、狭い開口部に幼児の足などが引っ掛からないように注意しながら行わなければならず、保護者への負担が多大なものとなっていた。
【０００８】
また、特許文献１および２に記載の従来技術では、例えば、特許文献２の図４に示されているように、チャイルドシートの足置きステップの外側部分のみが覆われている形態で、内側部分においては覆われていない。そのために、走行中に自転車の車輪などから跳ねる雨水などが足置きステップの内側から足置きステップに入り込み、足置きステップに置かれている幼児の足が濡れたり、汚れるなどにおいても問題視されていた。
【０００９】
本考案は、上記従来事情に対処することを課題の一例として創案されたものである。すなわち、幼児座席に対し幼児を乗り降りさせるときの保護者の負担を大幅に軽減すること、幼児を安心させて乗り降りさせることができること、足置きステップに置かれた幼児の足を雨水などから保護することができること、などが本考案の目的である。
【課題を解決するための手段】
【００１０】
前記課題を解決するために、本考案に係る自転車用幼児座席のカバーでは、少なくとも以下に係る構成を具備する手段を講ずるものである。
【００１１】
自転車に取り付けられて幼児を同乗させる幼児座席を覆うカバーであって、
背面と少なくとも上面の一部を形成する背面・上面カバー部と、前面下半部側と両側面下半部側を形成する下半面側カバー部と、前面上半部側と両側面上半部側を形成する上半面側カバー部と、当該カバーの側面を、少なくとも裾部から上面頂部に至る縦方向に開閉するファスナとを備え、前記背面・上面カバー部は、前記幼児座席の座席幅に相当する幅を有する縦長形状で、その縦方向の上部側が前記幼児座席の上方において、当該上方を覆うように前側に向けて延設された側面視形状を成し、かつ、少なくとも縦方向の両辺縁部と、この両辺縁部の連設上辺縁部に沿わせて弾力性を有するカバー保形部材を備えていることを特徴とする。
【００１２】
ここで、前記ファスナは、前記背面・上面カバー部と、前記下半面側カバー部および上半面側カバー部との境目縁部に沿って、当該カバーの一側面または両側面における裾部から縦方向に開閉するように設けられていること、また、前記下半面側カバー部は、前記幼児座席の足置きステップを、外側から内側に巻き込むように下面を含めた周囲全体を覆う袋状のステップ被覆部を備えていること、などの構成を採用することが好ましい。
【００１３】
このような構成によれば、背面・上面カバー部側に備えたカバー保形部材により、カバーの内部に、快適な居住い空間を確保するための保形性および自立性をカバーに付与することができる。つまり、背凭れ部の高さが低い、ヘッドレストが付いていないなどの形態が異なる幼児座席に対しても、幼児座席に座り同乗する幼児の上方や周囲に快適な居住い空間を、カバーに備えられた保形性および自立性にて確保し保持することができる。
幼児座席に対し幼児を乗り降りさせるときには、少なくともカバーの裾部から上面頂部に至る縦方向にファスナによりカバーの側面を開き、幼児座席の座部高さにて行うことができる。つまり、カバーが装着されていない幼児座席への乗り降り高さと変わらない高さにて幼児を乗り降りさせることができる。そして、ファスナにより開かれたカバー側面の開口は裾部から縦方向に大きく（広く）一面全開の状態まで開口されることで、幼児の足などが引っ掛かるなどの心配もなく、幼児の乗り降りを安全、安心して行うことができる。
【００１４】
また、同乗時に幼児の足が置かれる足置きステップの下面を含めた内外両側面の周囲全体を袋状のステップ被覆部にて覆うことができる。これにより、走行中に自転車の車輪などから跳ねる雨水などが足置きステップに入り込むことを防ぐことができる。
【考案の効果】
【００１５】
以上説明したように、本考案によれば、背面・上面カバー部のカバー保形部材によりカバー自体に保形性および自立性が付与されていることで、ヘッドレストが付いていないなどの幼児座席の形態に左右されることなく、幼児座席に座り同乗する幼児の上方や周囲に居住い空間を確保し、幼児を快適に同乗させることができるという効果を有する。
【００１６】
また、前記の効果に加えて、カバーの側面を、少なくとも裾部から上面頂部に至る縦方向にファスナにより大きく開閉させることができることで、幼児座席に対し幼児を乗り降りさせるときの保護者への負担を大幅に軽減し、しかも、幼児を安心させて乗り降りさせることができるという効果を有する。
【００１７】
また、前記の効果に加えて、幼児座席の足置きステップは、袋状のステップ被覆部にて下面を含めた内外両側面の周囲全体が覆われることで、自転車の車輪などから跳ねる雨水などによって足置きステップに置かれた幼児の足が濡れないように保護することができるという優れた効果を有する。
【図面の簡単な説明】
【００１８】
【図１】本考案の実施形態に係る自転車幼児座席のカバーの全体構成を示す前側斜め側方から見たときの説明図である。
【図２】同カバーの背面・上面カバー部を分離展開させた状態で示す内側から見たときの説明図である。
【図３】同カバーの下半面側カバー部を分離展開させた状態で示す内側から見たときの説明図である。
【図４】同カバーの上半面側カバー部を分離展開させた状態で示す内側から見たときの説明図である。
【図５】同カバーを自転車の後部荷台に取り付けられた幼児座席に装着した状態を側方から見たときの説明図である。
【図６】同装着状態において、幼児座席の足置きステップを下半面側カバー部のステップ被覆部にて下から包み込むように被覆させた状態を示す拡大説明図である。
【図７】同装着状態において、カバーの裾から縦方向にファスナにより開いた状態を側方から見たときの説明図である。
【考案を実施するための形態】
【００１９】
以下、図面を適宜参照しながら、本考案の自転車用幼児座席ＢのカバーＡについて詳細に説明する。本考案の実施形態は図示の形態を含むが、これに特に限定されるものではない。
すなわち、本考案は、その技術的範囲に属する限り、様々な変形例が可能である。例えば、本実施形態に係るカバーＡが装着される自転車用幼児座席（以後、単に「幼児座席」と称する）としては、自転車Ｃの後部に取り付けられる後形(リア)幼児座席と、自転車Ｃの前部に取り付けられる前形（フロント）幼児座席とが挙げられる。後記の図１および図５に示すように、本実施形態では、後形幼児座席の全体を幌形態にてすっぽりと覆うために使用されるカバーＡを一例に挙げて説明する。
【００２０】
幼児座席Ｂは、樹脂製や金属製などの構成部材により周知の基本形態に形成されている。例えば、後記の図５〜図７に示すように、幼児座席Ｂは、座部と背凭れ部とを有する座席本体ｂ１を備え、背凭れ部には高さ調整可能にヘッドレストｂ２が設けられている。また、座部の左右両側には足置きステップｂ３が設けられ、座部の前端側には握り部（ハンドル）ｂ４が設けられた基本形態に形成されている。
【００２１】
≪カバーＡの説明≫
つぎに、本実施形態に係るカバーＡについて説明する。
図１は、幼児座席Ｂの全体を幌形態にて覆う本実施形態に係るカバーＡの全体構成を示す前側斜め側方から見たときの説明図（斜視図）である。ここでは、後記の図５を適宜参照しながら説明する。
カバーＡは、例えば、防水性や撥水性などを有するビニールなどの合成樹脂製シート地を用いて、全体が下面開口の幌形態（ボックス形状）に形成されており、図５に示すように、幼児座席Ｂの全体を上からすっぽりと覆うように装着されることで、幼児座席Ｂに座り自転車Ｃの後部に同乗する幼児を雨や風などから保護するものである。
【００２２】
図１および図５に示すように、カバーＡは、背面ａ１と少なくとも上面ａ２の一部を形成する背面・上面カバー部１と、前面下半部ａ３側と両側面下半部ａ４側を形成する下半面側カバー部２と、前面上半部ａ５側と両側面上半部ａ６側を形成する上半面側カバー部３とから、下面開口で、幼児座席Ｂの全体をすっぽりと覆う幌形態に形成されている。そして、カバーＡは、背面・上面カバー部１と下半面側カバー部２および上半面側カバー部３との境目縁部を、少なくともカバーＡの裾部から上面頂部に至る縦方向に開閉するファスナ４を備えている。
【００２３】
図２は、背面・上面カバー部１を分離展開させた状態を示す内側から見たときの説明図である。ここでは、後記の図５を適宜参照しながら説明する。
背面・上面カバー部１は、座席本体ｂ１の背凭れ部の背後全体を覆い、そして、同幼児座席Ｂの上方においてその上面を覆うものであり、不透明な合成樹脂シート地にて形成されている。
この背面・上面カバー部１は、座席本体ｂ１の座席幅に相当する幅で、図２および図５に示すように、座席本体ｂ１の背凭れ部の高さ、そしてヘッドレストｂ２の高さを超えて座席本体ｂ１の上方に至る縦方向の長さを有する正面視で縦長矩形状に形成されている。
【００２４】
そして、図２に示すように、背面・上面カバー部１は、縦方向両側の両辺縁部１ａと、この両辺縁部１ａを円弧状に連設する連設上辺縁部１ｂに沿わせて弾力性を有するカバー保形部材５を備えている。このカバー保形部材５の詳細については後記する。
【００２５】
図３は、下半面側カバー部２を分離展開させた状態で内側から見たときの説明図である。この下半面側カバー部２は縮小して示している。ここでは、図１および図２、後記する図５および図６を適宜参照しながら説明する。
下半面側カバー部２は、座席本体ｂ１の座部前方の握り部ｂ４前面から両側の足置きステップｂ３を含めた座席本体ｂ１の前面および両側面の下半面側を覆うものであり、不透明な合成樹脂シート地にて形成されている。
図３および図５に示すように、下半面側カバー部２は、側面視で、座席本体ｂ１の背凭れ部の高さ途中部位から足置きステップｂ３を覆う程度の縦幅を有する正面視で横長の矩形形状に形成されている。
【００２６】
このような形態において、下半面側カバー部２は、図３に示すように、下向き弓なりの上辺縁部２ａが上半面側カバー部３の後記する下辺縁部３ａに縫着や融着などにより結合される。そして、縦方向の両辺縁部２ｂが背面・上面カバー部１の両辺縁部１ａにファスナ４により開閉可能に、縫着や融着などにより結合されるときには、展開状態から平面視で略横向きのＵ字形状を成して背面・上面カバー部１に結合される。
このようにして、図１に示すように、下半面側カバー部２の下辺縁部２ｃと背面・上面カバー部１の連設下辺縁部１ｃとが環状に繋がることでカバーＡの下面開口部６が形成される。
【００２７】
そして、図１示すように、ファスナ４により一ヵ所が分離可能と成して環状に繋がる背面・上面カバー部１と下半面側カバー部２との下面開口部６の開口縁部には、縫着や融着などにより下面開口部６に沿って形成されている筒部に挿通させた紐状の伸縮縁部材７を備えている。
これにより、カバーＡを幼児座席Ｂに幌形態に装着したとき、伸縮縁部材７によって下面開口部６が、座席本体ｂ１の前端握り部ｂ４の立上り基部、そして座席本体ｂ１の両側、後側の周囲形状に沿って巻き付くごとく締め付けられるようにしている。
【００２８】
また、図２に示すように、背面・上面カバー部１の連設下辺縁部１ｃの一部において外部にループ状に飛び出している伸縮縁部材７のループ部分を引っ張るなどにより調整することで、下面開口部６を握り部ｂ４の立上り基部、そして座席本体ｂ１両側、後側の周囲形状に沿ってよりしっかりと巻き付け締め付けられるようにしてある。
【００２９】
そして、図３、図５および図６に示すように、下半面側カバー部２は、幼児座席Ｂの両側の足置きステップｂ３を外側から内側に包み込むように下面（裏面）を含めて周囲を覆うステップ被覆部８を下辺縁部２ｃ側に備えている。このステップ被覆部８の詳細については後記する。
【００３０】
図４は、上半面側カバー部３を分離展開させた状態で示す内側から見たときの説明図である。この上半面側カバー部３は縮小して示している。ここでは、図１を適宜参照しながら説明する。
上半面側カバー部３は、座席本体ｂ１の背凭れ部２００の前方前面および両側面、そして座席本体ｂ１の上方においてその上面を背面・上面カバー部１とともに覆うものであり、透明または半透明、好ましくは透明な合成樹脂シート地にて形成されている。これにより、幼児座席Ｂに座り同乗する幼児は、自転車Ｃによる移動方向の前方のみならず、両側方を解放的に見渡すことができるようにしている。
この上半面側カバー部３は、図１および図４に示すように、下半面側カバー部２の上辺縁部２ａから背面・上面カバー部１の上半部側における両辺縁部１ａに沿って、連設上辺縁部１ｂまで至る程度の縦幅と形状を有する横長の矩形形状に形成されている。
具体的に説明すると、上半面側カバー部３は、下半面側カバー部２の弓なりの上辺縁部２ａに縫着や融着により結合される下辺縁部３ａを正面視で下向きの弓なりと成し、背面・上面カバー部１の両辺縁部１ａから連設上辺縁部１ｂに沿わせてファスナ４により開閉可能に結合される縦方向の両辺縁部３ｂから上辺縁部３ｃを、正面視で上向き弓なり形状に形成してなる。
【００３１】
つぎに、カバーＡの裾部から縦方向に開閉するファスナ４について説明する。ここでは、図１、図３および後記の図７を適宜参照しながら説明する。
ファスナ４は、図１および図３に示すように、背面・上面カバー部１と下半面側カバー部２および上半面側カバー部３との境目縁部を、カバーＡの一側面における裾部から上面頂部を経由してカバーＡの他側面側縦方向の途中部位に至る範囲にて開閉するように取り付けられる。
これにより、カバーＡを幼児座席Ｂに装着するときや、幼児座席Ｂに対し幼児を乗り降りさせるときなどにおいて、後記の図７に示すように、カバーＡの一側面における裾部から縦方向に他側面側に至る範囲で、カバーＡの側面を縦方向に大きく（広く）一面全開の状態まで開くことができるようにしている。
【００３２】
≪カバー保形部材５の説明≫
つぎに、カバーＡに保形性および自立性を付与するカバー保形部材５について説明する。ここでは、図２を適宜参照しながら説明する。
カバー保形部材５は、幼児座席Ｂに座り同乗する幼児の上方や周囲におけるカバーＡの内部に、快適な居住い空間を確保する保形性および自立性をカバーＡに付与するものであり、可撓性と弾力性とを有する金属材やプラスチック材などからなる断面が平形や丸形の線材である。
図２に示すように、カバー保形部材５は、縫着や融着などにより背面・上面カバー部１の両辺縁部１ａおよび連設上辺縁部１ｂに沿って筒状（くだ状、管状）に形成されている筒部に挿通されて備えられるものである。
これにより、背面・上面カバー部１の横幅方向を含めた縦方向の全体に張りを持たせ、なおかつ、ファスナ４を介して背面・上面カバー部１に対し開閉可能に結合される下半面側カバー部２および上半面側カバー部３にも張りを持たせる。つまり、背凭れ部の高さが低い幼児座席やヘッドレストｂ２が備えられていないなどの異なる形態の幼児座席に対しても、カバーＡに付与された保形性および自立性にて快適な居住い空間をカバーＡの内部に確保することができるようになっている。
【００３３】
なお、本実施形態では、図２に示すように、背面・上面カバー部１の両辺縁部１ａおよび連設上辺縁部１ｂに沿わせて形成されている筒部と、両辺縁部１ａの連設下辺縁部１ｃ側において両辺縁部１ａの筒部に半円形状にて連通するように形成されている筒部とに、カバー保形部材５を挿通させることで、当該カバー保形部材５を、背面・上面カバー部１に縦長環状の形態にて備えている。
【００３４】
なお、具体的な取り付け構造などの図示を省略しているが、背面・上面カバー部１のカバー保形部材５に取付け手段を備えて、カバー保形部材５を幼児座席Ｂの座席本体ｂ１に対して着脱可能に取り付けることができる。
例えば、背面・上面カバー部１の両辺縁部１ａに沿って存在している両側平行なカバー保形部材５を幅方向に連結するように連結部材を備え、この連結部材をフック部材などの取付け部材によって座席本体ｂ１の背凭れ部の上辺部などに着脱可能に取り付けるなどにより、カバー保形部材５を背凭れ部に固定する構成を採用することができる。
【００３５】
このようにすると、カバーＡが幼児座席Ｂに装着された状態において、座席本体ｂ１の背凭れ部の背後から座席本体ｂ１の上方に、当該上方を前側（自転車前方）に向かって覆うように配置される背面・上面カバー部１自体の自立安定性を強堅なものとすることができる。つまり、走行中に前方などから受ける風圧に煽られてカバーＡの幌形態が崩れるなどの影響を受けることなく、幼児座席Ｂに座る幼児の上方や周囲に快適な居住い空間を確保するための保形性および自立性をカバーＡに強堅なものとして付与することが期待できる。
また、ファスナ４により背面・上面カバー部１との間の境目縁部を、カバーＡの裾部から縦方向に開いて幼児を幼児座席Ｂに乗り降りさせる際にも、背面・上面カバー部１が後方などに傾くということもない。それにより、一面全開の状態まで大きく開かれた側面開口から幼児の乗り降りを速やかに、安心、安全に行うことができる。ひいては、保護者への負担を軽減させることができるという効果が期待できる。
【００３６】
≪ステップ被覆部８の説明≫
つぎに、幼児座席Ｂの足置きステップｂ３を被覆するステップ被覆部８について説明する。ここでは、図３、図５および図６を適宜参照しながら説明する。
ステップ被覆部８は、図５および図６に示すように、幼児座席Ｂの足置きステップｂ３を、その上方（足置きステップｂ３に幼児が足を置くための上部開口）を残して外側から内側に巻き込むように下面（裏面）を含めて周囲をすっぽりと覆うものである。
図３および図６に示すように、ステップ被覆部８は、下半面側カバー部２における伸縮縁部材７が挿通にて備えられる下辺縁部２ｃ（下面開口部６）が、足置きステップｂ３の内側上方部位に位置するように、当該下辺縁部２ｃから下半面側カバー部２を足置きステップｂ３の大きさにてその全体を上向き開口にて包み込むように、袋状に膨出させた形態と成して下辺縁部２ｃよりも下方に形成されるものである。
これにより、ステップ被覆部８は、カバーＡを幼児座席Ｂに装着するとき、図５および図６に示すように、座席本体ｂ１の座部両側から下側に備えられている足置きステップｂ３の下面、そして内外両側を含めた周囲全体をすっぽりと包み込むように覆うものである。
【００３７】
そして、図２および図３に示すように、本実施例では、背面・上面カバー部１の下部側と、下半面側カバー部２の前面側に、雄雌一対のバックルやベルベットファスナ（登録商標名；マジックテープ）などの係脱可能な連結部材を備えた取付け手段であるベルト９，１０が取り付けられている。
これにより、図５および後記する図７に示すように、後側のベルト９を自転車Ｃの荷台ｃ１に巻き付けるように取り付け、前側のベルト１０を自転車Ｃのサドル支柱ｃ２に架け渡すように取り付けることで、幼児座席Ｂを幌形態にて覆うカバーＡが走行中の風圧などにより吹き飛ばされないように、カバーＡの下面開口部６の伸縮縁部材７とともにカバーＡをよりしっかりと幼児座席Ｂに装着し得るようにしてある。
【００３８】
また、本実施例では、背面・上面カバー部１、下半面側カバー部２、上半面側カバー部３により幼児座席Ｂを幌形態にて覆うに形成してなるカバーＡの要所部分に、メッシュ生地からなる通気部１１，１２を設け、該通気部１１，１２の表面側を覆うフラップ１３，１４を設けている。
具体的に説明すると、図１、図２および図３に示すように、背面・上面カバー部１の下部側背面部分と、下半面側カバー部２と上半面側カバー部３との縫着や融着などによる結合境界縁部前面側における下半面側カバー部２の上辺縁部２ａに沿わせた前面部分との２ヶ所において通気部１１，１２をそれぞれ備えている。そして、背面側の通気部１１においては、背面・上面カバー部１の下部側シート部分に対して所望の範囲で上部側シート部分を重ね合わせるように設けた下向き開口のフラップ１３により表面側が覆われている。一方、前面側の通気部１２においては、結合境界縁部から下半面側カバー部２側に垂れ下がるように設けたフラップ１４により表面側が覆われている。
これにより、降雨時に雨水などのカバーＡ内部への浸入を防ぐ一方で、外気を前面側の通気部１２からカバーＡ内部に導入させ、背面側の通気部１１から外部へ流出させるカバーＡ内部の外気の流れによって、カバーＡ内部の温度上昇や蒸し暑さなどを抑制し、幼児座席Ｂに座る幼児が快適に同乗できるようにしてなる。
【００３９】
なお、図示を省略しているが、前面側の通気部１２を覆うフラップ１４においては、走行中の風圧に影響されずに通気部１２を閉じた状態を保ち、そして開いた状態（フラップ１４を捲り上げた状態）を保つためのそれぞれの係止部材を、必要に応じて備えることができる。係止部材としては、例えば、ベルベットファスナ、ホック、ボタンなどの簡易的なものを挙げることができる。
【００４０】
［作用説明］
つぎに、このように構成されている本実施形態に係る幼児座席ＢのカバーＡについて、図１および図５〜図７を適宜参照しながら簡単に説明する。
図５は、自転車Ｃの後部荷台ｃ１に取り付けられた幼児座席ＢにカバーＡを装着した状態を側方から見たときの説明図であり、図６は、幼児座席Ｂの足置きステップｂ３を下半面側カバー部２のステップ被覆部８にて下から包み込むように被覆させた状態を示す拡大説明図であり、図７は、カバーＡの裾から縦方向にファスナ４により開いた状態を側方から見たときの説明図である。
【００４１】
まず、図１に示すカバーＡを幼児座席Ｂに幌形態に装着する場合は、ファスナ４全体を開き、カバーＡの背面・上面カバー部１側と、下半面側カバー部２との縫着や融着による結合境界縁部を残して下半面側カバー部２および上半面側カバー部３側との間を大きく開いた状態とする。この状態で、背面・上面カバー部１側と下半面側カバー部２との結合境界縁部が位置するカバーＡの側面で覆われる幼児座席Ｂの一側面側から、伸縮縁部材７が挿通されているカバーＡの下面開口部６を座席本体ｂ１の座部の側部、後側外周、そして前端側の握り部ｂ４の立上り基部に沿わせ、なおかつ、ステップ被覆部８を足置きステップｂ３に対し下から覆い被せるようにしてカバーＡを幼児座席Ｂに装着する。このとき、後側の取付け手段９を荷台ｃ１に巻き付けるように取り付けるとともに、前側の取付け手段１０をサドル支柱ｃ２に架け渡すように取り付け、最後に、ファスナ４を閉じることで、幌形態によるカバーＡの幼児座席Ｂへの装着が完了となる。
これにより、幼児座席Ｂに幌形態にて装着されたカバーＡは、背面・上面カバー部１に備えられているカバー保形部材５による保形性および自立性にて幼児座席Ｂに座り同乗する幼児の上方や周囲に、快適な居住い空間を確保する。
【００４２】
そして、幼児座席Ｂに対し幼児を乗り降りさせるときには、図５に示す状態から図７に示すように、カバーＡの一側面の裾部から他側面側に至る縦方向にファスナ４を開く。これにより、背面・上面カバー部１と下半面側カバー部２および上半面側カバー部３との境目縁部に沿って縦方向に大きく（広く）一面全開状態に開いた側面開口から幼児座席Ｂに対し幼児を乗り降りさせることができる。このとき、幼児の持ち上げ高さは、幼児座席ＢにカバーＡが装着されていないときと変わらない高さにて行うことができる。
【００４３】
以上説明したように、本実施形態に係る幼児座席ＢのカバーＡによれば、背面・上面カバー部１側に備えたカバー保形部材５により、快適な居住い空間をカバーＡの内部に確保し保持することができる。つまり、座席本体ｂ１の背凭れ部の高さが低い、ヘッドレストｂ２が無いなどの形態が異なる幼児座席に対する使用であっても、カバー保形部材５によるカバーＡの保形性および自立性にて幼児座席Ｂに座り同乗する幼児の上方や周囲に、快適な居住い空間を確保することができる。
【００４４】
幼児座席Ｂに対し幼児を乗り降りさせるときには、一側面の裾部から他側面に至る縦方向にファスナ４により開くことで、側面を大きく（広く）一面全開の状態まで開口させることができる。これにより、保護者への負担を大幅に軽減させることができる。つまりは、カバーＡが装着されていない幼児座席に対し幼児を乗り降りさせるときと変わらない幼児の持ち上げ高さで、幼児を安全、安心させて乗り降りさせることができる。
また、側面を開口させた状態で、幼児座席Ｂの上方は背面・上面カバー部１にて覆われていることで、降雨時に幼児座席Ｂが濡れることを防ぐことができる。つまり、幼児を濡れずに幼児座席Ｂに対し乗り降りさせることができる。
【００４５】
また、幼児座席Ｂの足置きステップｂ３をステップ被覆部８により下面を含め内外両側面の周囲全体を覆うことができる。これにより、走行中に車輪などから跳ねる雨水などにより足置きステップｂ３に置かれた幼児の足が濡れたり、汚れることもなく、幼児を同乗させることができる。
【００４６】
また、カバーＡの前面側と背面側に設けた通気部１１，１２によりカバーＡ内部の温度上昇や蒸し暑さなどを抑制することができる。これにより、特に、梅雨時などにおいて幼児を快適に同乗させることができる。
【００４７】
［変形例］
以上、本考案の実施形態について図面を参照して詳述してきたが、具体的な構成はこれらの実施形態に限られるものではなく、実用新案登録請求の範囲に記載の本考案の要旨を逸脱しない範囲の設計の変更などがあっても本考案に含まれる。
【００４８】
例えば、前記実施例詳述では、カバー保形部材５を縦長環状の形態にて背面・上面カバー部１に備えたが、背面・上面カバー部１の両辺縁部１ａと連設上辺縁部１ｂに沿わせた縦長逆Ｕ字状（下向きＵ字状）の形態にて背面・上面カバー部１に備えることができる。この場合、カバー保形部材の下向き両解放端を、背面・上面カバー部１の両辺縁部１ａにおける連設下辺縁部１ｃとの連設隅部に位置させることが好ましく、また、必要に応じて下向き両解放端を適宜の部材を用いて連繋するなどの手法を採用するとなおよい。
【００４９】
また、ファスナ４を、カバーＡの両側面における裾部からそれぞれ縦方向に開閉し得るように備えることができる。つまり、背面・上面カバー部１と下半面側カバー部２および上半面側カバー部３との境目縁部を、両端に開閉スライダを備えたファスナによりカバーＡの両側面における裾部から縦方向に開閉可能とすることができる。
このようにすることで、保護者が自転車Ｃの進行方向の左側に降りた場合、右側に降りた場合、どちら側においてもカバーＡの裾部からファスナを縦方向に開き、幼児を幼児座席Ｂから速やかに降ろすことができる。また、カバーの幼児座席Ｂへの装着性などにおいても有効なものとなる。
【００５０】
また、下半面側カバー部２を、上半面側カバー部３と同様に、透明または半透明な合成樹脂シート地にて形成することができる。また、取付け手段としては合成繊維などの丈夫な素材からなる紐などでもよい。要するに、カバーＡの下面開口部６側を自転車Ｃの荷台ｃ１やサドル支柱ｃ２などに縛り付けるなどにより簡易的に取り付けることができるものであればその形態は任意である。
【符号の説明】
【００５１】
Ａ      カバー
ａ１    背面
ａ２    上面
ａ３    前面下半部
ａ４    両側面下半部
ａ５    前面上半部
ａ６    両側面上半部
１      背面・上面カバー部
１ａ    両辺縁部
１ｂ    連設上辺縁部
１ｃ    連設下辺縁部
２      下半面側カバー部
２ａ    上辺縁部
２ｂ    下辺縁部
３      上半面側カバー部
３ａ    下辺縁部
３ｂ    両辺縁部
３ｃ    上辺縁部
４      ファスナ
５      カバー保形部材
６      下面開口部
７      伸縮縁部材
８      ステップ被覆部
９，１０  ベルト（取付け手段）
Ｂ      幼児座席
ｂ１    座席本体
ｂ２    ヘッドレスト
ｂ３    足置きステップ
Ｃ      自転車
ｃ１    荷台
ｃ２    サドル支柱
【図１】
0003196748.tif 000003
【図２】
0003196748.tif 000004
【図３】
0003196748.tif 000005
【図４】
0003196748.tif 000006
【図５】
0003196748.tif 000007
【図６】
0003196748.tif 000008
【図７】
0003196748.tif 000009